(57)【要約】【課題】開梱したときに、最初にケーブルを使って配線すべきであることを、ユーザが直感的に把握することができ、配線の前にＣＤを挿入する等のミスを防ぐことができる配線機器梱包装置を提供することを目的とする。【解決手段】箱本体と、上記箱本体の蓋と、配線を必要とする配線機器を収納する配線機器収納部であって、上記箱本体に設けられている箱本体用配線機器収納部と、ケーブルの一端に設けられている第１コネクタを係止する第１係止部であって、上記箱本体に設けられている第１係止部と、上記ケーブルの他端に設けられている第２コネクタを係止する第２係止部であって、上記蓋に設けられている第２係止部とを有する配線機器梱包装置である。【選択図】図１
2009023705.tif 000002
【特許請求の範囲】
【請求項１】
箱本体と；
上記箱本体の蓋と；
配線を必要とする配線機器を収納する配線機器収納部であって、上記箱本体に設けられている箱本体用配線機器収納部と；
ケーブルの一端に設けられている第１コネクタを係止する第１係止部であって、上記箱本体に設けられている第１係止部と；
上記ケーブルの他端に設けられている第２コネクタを係止する第２係止部であって、上記蓋に設けられている第２係止部と；
を有することを特徴とする配線機器梱包装置。
【請求項２】
請求項１において、
上記配線機器と接続される相手機器の絵または写真であって、上記蓋に記載されている絵または写真を有することを特徴とする配線機器梱包装置。
【請求項３】
請求項１において、
上記配線機器が上記箱本体用配線機器収納部に収納されていることを特徴とする配線機器梱包装置。
【請求項４】
請求項１において、
上記配線機器の挿し込み口の近傍に、上記第１係止部が設けられていることを特徴とする配線機器梱包装置。
【請求項５】
請求項２において、
上記相手機器の絵または写真における挿し込み口の近傍に、上記第２係止部が設けられていることを特徴とする配線機器梱包装置。
【請求項６】
請求項１において、
上記配線機器とは別の配線機器を収納する配線機器収納部であって、上記蓋に設けられている蓋用配線機器収納部を有することを特徴とする配線機器梱包装置。
【請求項７】
請求項１または請求項６において、
上記ケーブルの第１コネクタが上記第１係止部に係止され、上記ケーブルの第２コネクタが上記第２係止部に係止されていることによって、上記ケーブルが上記機配線機器梱包装置内に収納されていることを特徴とする配線機器梱包装置。
【請求項８】
請求項６において、
上記別の配線機器が上記蓋用配線機器収納部に収納されていることを特徴とする配線機器梱包装置。
【請求項９】
請求項６において、
上記別の配線機器の挿し込み口の近傍に、上記第２係止部が設けられていることを特徴とする配線機器梱包装置。
【請求項１０】
箱本体と；
上記箱本体の蓋と；
配線を必要とする配線機器が収納されている配線機器収納部であって、上記箱本体に設けられている箱本体用配線機器収納部と；
一端に第１コネクタが設けられ、他端に第２コネクタが設けられているケーブルと；
上記第２コネクタが係止されているコネクタ係止部であって、上記蓋に設けられているコネクタ係止部と；
を有し、上記第１コネクタが上記配線機器の挿し込み口に接続されていることを特徴とする配線機器梱包装置。
【請求項１１】
箱本体と；
上記箱本体の蓋と；
配線を必要とする第１の配線機器が収納されている配線機器収納部であって、上記箱本体に設けられている箱本体用配線機器収納部と；
配線を必要とする第２の配線機器が収納されている配線機器収納部であって、上記蓋に設けられている蓋用配線機器収納部と；
一端に第１コネクタが設けられ、他端に第２コネクタが設けられているケーブルと；
を有し、上記第１コネクタが上記第１の配線機器の挿し込み口に接続され、上記第２コネクタが上記第２の配線機器の挿し込み口に接続されていることを特徴とする配線機器梱包装置。
【発明の詳細な説明】
【技術分野】
【０００１】
本発明は、開梱時に、最初に配線することが必要である配線機器を入れる梱包箱において、ユーザが、マニュアルをきちんと読まなくても、開梱時に、順序通り、最初に配線を開始することをユーザが認識できる配線機器梱包装置に関する。
【背景技術】
【０００２】
配線や設定を必要とする配線機器がダンボール等の箱に梱包され、ユーザが、この箱から上記配線機器を取り出し、配線、設定する場合、ユーザは、箱から配線機器やケーブル類を取り出し、マニュアル等を参考に、指定された順序で、配線や設定を行う。
【０００３】
マニュアル提供者は、ユーザが手順を迷わないように、マニュアルの配色や構成に気を払い、工夫をしている。たとえば、フォント・イラスト・写真等のビジュアル表現が、マニュアルでどのように用いられているかを、調査し、類型化する（たとえば、非特許文献１参照）。
【非特許文献１】木原萌美、三波千穂美著「マニュアルにおける複合的ビジュアル手法」テクニカルコミュニケーター協会、テクニカルコミュニケーションシンポジウム２００６［東京開催］論文集、ｐ．１５−１９
【発明の開示】
【発明が解決しようとする課題】
【０００４】
しかし、機器の他、ケーブルやＣＤ等、多くの部品が１つの箱に同梱されていると、ユーザは、マニュアルをきちんと見ずに設定を始める場合がある。この場合には、自分勝手に好きな順番で設定を始め、適正な配線が行われないという問題があり、または、適正な配線が完了するまでに時間がかかるという問題がある。
【０００５】
たとえば、パソコンをインターネットに接続する通信機器が入っている箱には、通信機器本体（ルータ）の他に、ケーブル、電源アダプタ、パソコンを設定するためのＣＤ、無線カード、マニュアル等、多くの部品が同梱されている。
【０００６】
パソコンをインターネットに接続するためには、まずケーブル類を配線し、その後に、電源アダプタを接続し、電源を入れ、その後に、ＣＤをＰＣに挿入し、設定するという手順を順番に辿る必要がある。この順番を守らないと、インターネットに正しく接続することができない。
【０００７】
しかし、マニュアルを読まないユーザは、ケーブル類を配線する前に、ＣＤをＰＣに挿入する等、手順を守らない場合が多く、この場合には、インターネットに接続することができないという問題がある。
【０００８】
このように、１つの箱に、配線機器と複数の部品とが同梱され、配線機器の配線・設定を、ユーザに順番通りに行わせるためには、箱の中にマニュアルを同梱するだけでは、充分ではない。
【０００９】
また、たとえ配線を始めたとしても、従来のマニュアルを注意深く読まなければ、必要な説明部分を読み飛ばし、配線時に、挿し込み口を誤る等の問題がある。
【００１０】
本発明は、開梱したときに、最初にケーブルを使って配線すべきであることを直感的に把握することができ、配線の前にＣＤを挿入する等のミスを防ぐことができる配線機器梱包装置を提供することを目的とする。
【課題を解決するための手段】
【００１１】
本発明は、箱本体と、上記箱本体の蓋と、配線を必要とする配線機器を収納する配線機器収納部であって、上記箱本体に設けられている箱本体用配線機器収納部と、ケーブルの一端に設けられている第１コネクタを係止する第１係止部であって、上記箱本体に設けられている第１係止部と、上記ケーブルの他端に設けられている第２コネクタを係止する第２係止部であって、上記蓋に設けられている第２係止部とを有する配線機器梱包装置である。
【発明の効果】
【００１２】
本発明によれば、箱本体に設けられている第１係止部に、ケーブルの一端を係止し、蓋に設けられている第２係止部に、ケーブルの他端を係止すれば、配線機器梱包装置を開梱したときに、上記ケーブルが、飛び出す絵本のように、立体的に飛び出るので、配線機器梱包装置を開梱したときに、最初にケーブルを使って配線すべきであることを、ユーザが直感的に把握することができ、配線の前にＣＤを挿入する等のミスを防ぐことができるという効果を奏する。
【００１３】
また、本発明は、配線機器梱包装置に配線機器を収納し、この配線機器の挿し込み口の近傍に係止部を設置すれば、ケーブルを具体的にどこに挿入するかを、直感的に把握することができ、配線誤りを防止することができるという効果を奏する。
【発明を実施するための最良の形態】
【００１４】
発明を実施するための最良の形態は、以下の実施例である。
【実施例１】
【００１５】
図１は、本発明の実施例１である配線機器梱包装置１００を横から見た側面図である。
【００１６】
図２は、配線機器梱包装置１０を，その蓋２０を開けた状態を示す斜視図である。
【００１７】
配線機器梱包装置１００は、配線を必要とする配線機器３０を収納する装置であり、箱本体１０と、蓋２０とを有する。箱本体１０は、配線機器３０を収納する箱本体であり、蓋２０は、箱本体１０の蓋である。
【００１８】
本明細書における「配線機器」または「同梱機器」は、配線を必要とする電子機器であり、また、配線を必要とする機器であれば、電子機器以外の機器であってもよい。
【００１９】
箱本体１０は、配線機器収納部１１と、留め具５１とを有する。配線機器収納部１１は、配線機器３０を収納するために箱本体１０に設けられ、配線機器３０が入る凹部である。配線機器収納部１１として、上記凹部の代わりに、配線機器３０を固定するゴムバンドを設けるようにしてもよく、その形状、材質は、任意である。
【００２０】
留め具５１は、配線機器３０に接続するケーブル４０の端部に設けられている第１のコネクタ４１を係止する留め具であり、コネクタ４１の形に合わせた凹みであり、箱本体１０に設けられ、第１係止部の例である。また、留め具５１が設けられている位置は、配線機器３０が配線機器収納部１１に収納された場合における配線機器３０の挿し込み口の近傍であることが好ましい。
【００２１】
蓋２０には、留め具５２が設けられ、図２に示す相手機器の絵６０が記載されている。留め具５２は、ケーブル４０の他方の端部に設けられている第２のコネクタ４２を係止する留め具であり、蓋２０に設けられ、第２係止部の例である。また、留め具５２は、ケーブル４０のコネクタ４２を係止できるものであれば、その形状、材質を問わない。留め具５２は、たとえば、ゴムバンドや、ケーブル４０のコネクタ４２の形に合わせた凹みである。
【００２２】
相手機器の絵６０は、配線機器３０と接続される相手機器の絵であって、蓋２０に記載されている絵である。留め具５２が設けられている位置は、相手機器の絵６０における相手機器の挿し込み口の近傍であることが好ましい。
【００２３】
なお，相手機器の絵６０の代わりに、相手機器の写真を設けるようにしてもよい。
【００２４】
配線機器梱包装置１００には、配線機器３０とコネクタ４０とが収納され、この状態で梱包される。
【００２５】
ケーブル４０は、コネクタ４１、４２を有し、上記のように、第１のコネクタ４１が、箱本体１０側の留め具５１によって、箱本体１０に係止され、第２のコネクタ４２が、蓋２０の留め具５２によって、蓋２０に係止されている。
【００２６】
次に，上記実施例を使用する場合の動作について説明する。
【００２７】
まず、配線機器梱包装置１００には、配線機器３０が配線機器収納部１１に収納され、ケーブル４０のコネクタ４１が留め具５１に係止され、コネクタ４２が留め具５２に係止されている状態で、コネクタ４０が配線機器梱包装置１００に収納されている。
【００２８】
この状態で、ユーザが配線機器梱包装置１００を開けると、ケーブル４０が、箱本体１０と蓋２０とに繋がって開くので、ケーブル４０が飛び出て目立つ。
【００２９】
したがって、ケーブル４０の第１のコネクタ４１を配線機器３０の挿し込み口に挿し込むべきことが、一見してユーザに理解される。また、蓋２０には、相手機器の絵６０が記載されているので、ケーブル４０の第２のコネクタを相手機器の挿し込み口に挿し込むべきことが、一見してユーザに理解される。
したがって、上記実施例によれば、開梱したときに、最初に、ケーブルを使って配線すべきであることを直感的に把握することができ、配線の前にＣＤを挿入する等のミスを防ぐことができる。
【００３０】
なお、相手機器の絵６０とともに、接続時の注意文を記載するようにしてもよい。また，蓋２０に、相手機器の絵６０とともに、接続時の注意文を記載するようにしてもよい。
【００３１】
図２に示す例では、配線機器３０と接続すべき相手機器として、たとえば、回線終端装置の絵６０が、蓋２０に描かれているので、ケーブル４０を用いて配線機器３０と回線終端装置とを接続すべきことを，ユーザが直感的に把握することができる。
【００３２】
また、箱本体１０と蓋２０とは、必ずしも互いに繋がっている必要はなく、箱本体１０から蓋２０を取り外すことができる構造であってもよい。
【００３３】
なお、実施例１において、ケーブル４０の第１コネクタ４１が、配線機器３０の差込口に結線されていてもよい。この場合、留め具（第１係止部）５１を設ける必要はない。
【実施例２】
【００３４】
図３は、本発明の実施例２である配線機器梱包装置２００を示す側面図である。
【００３５】
配線機器梱包装置２００は、配線を必要とする２つの配線機器を収納する配線機器梱包装置である。また、配線機器梱包装置２００に、配線機器が、３つ以上、設けられていてもよい。
【００３６】
配線機器梱包装置２００は、箱本体１０と、箱本体１０の蓋７０とを有する。
【００３７】
箱本体１０は、収納部１１と留め具５１とを有し、第１の配線機器３０を収納する。蓋７０は、具収納部７１と留め具５３とを有し、第２の配線機器８０を収納する。
【００３８】
収納部１１は、第１配線機器３０を収納する収納部であって、箱本体１０に設けられている。留め具５１は、配線機器３０に接続するケーブル４０の一端に設けられている第１コネクタ４１を係止する留め具であって、箱本体１０に設けられている留め具であり、第１の係止部の例である。
【００３９】
留め具５３は、ケーブル４０の他端に設けられている第２コネクタ４２を係止する留め具であって、蓋７０に設けられている留め具であり、第２係止部の例である。
【００４０】
収納部７１は、第２配線機器８０を収納する収納部であって、蓋７０に設けられている蓋７０の収納部である。
【００４１】
なお、実施例２において、ケーブル４０の第１コネクタ４１が、配線機器３０の挿し込み口に結線されていてもよく、第２コネクタ４２が、配線機器８０の挿し込み口に結線されていてもよい。この場合、留め具（第１係止部）５１、留め具（第２係止部）５２を設ける必要はない。
【００４２】
また、配線機器３０の配線相手の機器（回線終端装置、配線機器）を設ける代わりに、自宅等に存在している配線機器の形状を模した形状の空き領域または模型を設けるようにしてもよい。
【００４３】
なお、配線支援装置２００に、３つ以上の配線機器を収納し、これら配線機器のそれぞれ対応する係止部を設けるようにしてもよい。
【００４４】
上記実施例によれば、箱本体に設けられている第１係止部に、ケーブルの一端を係止し、蓋に設けられている第２係止部に、ケーブルの他端を係止するので、配線機器梱包装置を開梱したときに、上記ケーブルが、飛び出す絵本のように、立体的に飛び出る。したがって、配線機器梱包装置を開梱したときに、最初にケーブルを使って配線すべきであることを、ユーザが直感的に把握することができ、配線の前にＣＤを挿入する等のミスを防ぐことができる。
【００４５】
また、上記実施例によれば、配線すべき配線機器３０の挿し込み口が収まる位置の傍に、留め具５１が設置されているので、ケーブル４０を具体的にどこに挿入するかを、ユーザが直感的に把握することができ、配線誤りを防止することができる。
【００４６】
つまり、上記実施例は、箱本体と、上記箱本体の蓋と、配線を必要とする配線機器を収納する配線機器収納部であって、上記箱本体に設けられている箱本体用配線機器収納部と、ケーブルの一端に設けられている第１コネクタを係止する第１係止部であって、上記箱本体に設けられている第１係止部と、上記ケーブルの他端に設けられている第２コネクタを係止する第２係止部であって、上記蓋に設けられている第２係止部とを有する配線機器梱包装置である。
【００４７】
この場合上記配線機器と接続される相手機器の絵または写真であって、上記蓋に記載されている絵または写真を有する。
【００４８】
また、上記配線機器が上記箱本体用配線機器収納部に収納されている。
【００４９】
さらに、上記配線機器の挿し込み口の近傍に、上記第１係止部が設けられている。
【００５０】
しかも、上記相手機器の絵または写真における挿し込み口の近傍に、上記第２係止部が設けられている。
【００５１】
そして、上記配線機器とは別の配線機器を収納する配線機器収納部であって、上記蓋に設けられている蓋用配線機器収納部を有する。
【００５２】
加えて、上記ケーブルの第１コネクタが上記第１係止部に係止され、上記ケーブルの第２コネクタが上記第２係止部に係止されていることによって、上記ケーブルが上記機配線機器梱包装置内に収納されている。
【００５３】
また、上記別の配線機器が上記蓋用配線機器収納部に収納されている。
【００５４】
さらに、上記別の配線機器の挿し込み口の近傍に、上記第２係止部が設けられている。      
【００５５】
しかも、上記実施例は、箱本体と、上記箱本体の蓋と、配線を必要とする配線機器が収納されている配線機器収納部であって、上記箱本体に設けられている箱本体用配線機器収納部と、一端に第１コネクタが設けられ、他端に第２コネクタが設けられているケーブルと、上記第２コネクタが係止されているコネクタ係止部であって、上記蓋に設けられているコネクタ係止部と、上記第１コネクタが上記配線機器の挿し込み口に接続されている。
【００５６】
そして、上記実施例は、箱本体と、上記箱本体の蓋と、配線を必要とする第１の配線機器が収納されている配線機器収納部であって、上記箱本体に設けられている箱本体用配線機器収納部と、配線を必要とする第２の配線機器が収納されている配線機器収納部であって、上記蓋に設けられている蓋用配線機器収納部と、一端に第１コネクタが設けられ、他端に第２コネクタが設けられているケーブルとを有し、上記第１コネクタが上記第１の配線機器の挿し込み口に接続され、上記第２コネクタが上記第２の配線機器の挿し込み口に接続されている。
【図面の簡単な説明】
【００５７】
【図１】本発明の実施例１である配線機器梱包装置１００を横から見た側面図である。
【図２】配線機器梱包装置１０を，その蓋２０を開けた状態を示す斜視図である。
【図３】本発明の実施例２である配線機器梱包装置２００を示す側面図である。
【符号の説明】
【００５８】
１００、２００…配線機器梱包装置、
１０…箱本体、
１１…配線機器収納部、
２０…蓋、
３０…配線機器、
４０…ケーブル、
４１、４２…コネクタ、
５１、５２…留め具、
６０…相手機器の絵、
６１…相手機器の説明文、
７０…蓋、
７１…配線機器収納部、
８０…配線機器。
【図１】
2009023705.tif 000003
【図２】
2009023705.tif 000004
【図３】
2009023705.tif 000005